(57)【要約】【課題】  文字の形や文字の読み方と、５０音配列を覚えながら、創造力開発ができるように工夫された、ジグゾーパズルを提供する。【解決手段】  文字の判別ができる程度に、文字の周囲を囲むように形成したパズル片と、当該パズル片と同一形状であって、かつ、底面に当該パズル片と対応する文字が印刷された嵌合凹部を有するパズル盤とからなることを特徴とする文字ジグゾーパズル。【選択図】図１
2008284325.tif 000002
【特許請求の範囲】
【請求項１】
文字の判別ができる程度に、文字の周囲を囲むように形成したパズル片と、当該パズル片と同一形状であって、かつ、底面に当該パズル片と対応する文字が印刷された嵌合凹部を有するパズル盤とからなることを特徴とする文字ジグゾーパズル。
【請求項２】
パズル盤が、ひらがな、あるいは、カタカナの５０音表になっていることを特徴とする請求項１記載の文字ジグゾーパズル。
【発明の詳細な説明】
【技術分野】
【０００１】  本発明は、文字の判別ができる程度に、文字の周囲を囲むように形成したパズル片を、当該パズル片と同一形状であって、かつ、底面に当該パズル片と対応する文字が印刷された嵌合凹部を有するパズル盤にはめ込むことにより、文字の形や文字の読み方と、５０音配列を覚えながら、創造力開発をすることができる、文字ジグゾーパズルに関するものである。
【背景技術】
【０００２】  従来より、文字が表面か裏面に印刷されたパズル片を、同じ文字が印刷されたパズル盤にはめ込み、文字を覚えたり、５０音配列を覚えたりすることを目的としたジグソーパズルがいろいろと工夫されている。
それらの先行技術例としては、下記の特許文献が開示されている。
【特許文献１】特開平７−３２８２２６号公報
【特許文献２】特開２００２−２７３０２８号公報
【特許文献３】特開２００５−２７８７２１号公報
【発明の開示】
【発明が解決しようとする課題】
【０００３】  しかしながら、従来のこれらの技術はいずれも、パズル片の表面か裏面に文字が印刷されたパズル片を、同じ文字が印刷されたパズル盤にはめ込むために、単なる図柄あわせに近いものであり、記憶力向上には役立つが、創造力開発をすることができなかった。
【課題を解決するための手段】
【０００４】  前記課題を解決するために本発明は、文字の判別ができる程度に、文字の周囲を囲むように形成したパズル片を、パズル片と同一形状であって、かつ、底面にパズル片と対応する文字が印刷された嵌合凹部を有するパズル盤にはめ込みながら、パズル片の形状から文字を類推して、文字の形や文字の読み方と、５０音配列を覚えるとともに、創造力開発ができるようにした。
【発明の効果】
【０００５】  本発明によれば、文字の判別ができる程度に、文字の周囲を囲むように形成したパズル片を用いるために、パズル片の形状からいろいろな文字を類推することにより、創造力開発ができる。【０００６】  また本発明によれば、文字の判別ができる程度に、文字の周囲を囲むように形成したパズル片をパズル盤の同一形状の嵌合凹部にうまくはめ込みができた時には、その喜びから強い印象を受けて、字の形や文字の読み方と５０音配列をより効果的に覚えることができる。【０００７】  また本発明によれば、文字の判別ができる程度に、文字の周囲を囲むように形成したパズル片を用いるために、文字を見なくてもパズル片を手で触ることにより対応する文字を類推することができる。
例えば、母親が子供に目隠しをさせてパズル片を手で触らせることにより、対応する字を当てさせる遊びができる。【０００８】  また本発明によれば、パズル片をパズル盤に全てはめ込んだ状態から、特定の文字を取り出すという遊びができる。例えばパズル片をパズル盤に全てはめ込んだ状態で母親が子供に「犬…いぬ」を取りなさいといった時に、子供が「い」と「ぬ」の言葉に対応する文字を考えて、その文字からパズル片の形を類推しながら、「い」と「ぬ」のパズル片を取り出すことができる。
【発明を実施するための最良の形態】
【０００９】  以下、本発明の実施の形態を図面に基づいて説明する。【００１０】  図１は本発明の一実施例における、文字の判別ができる程度に、文字の周囲を囲むように形成したパズル片（１）とパズル片（１）と同一形状で底面に文字（８）が印刷された嵌合凹部（３）を有するパズル盤（２）の概形斜視図である。パズル片（１）をパズル盤（２）の嵌合凹部（３）にはめ込む。【００１１】  図２は文字の判別ができる程度に、文字の周囲を囲むように形成したパズル片（１）とそれに対応する同一形状で底面に文字（８）が印刷された嵌合凹部（３）を含むパズル盤（２）を、図１の一点鎖線Ａ・Ｂから切り取った部分の分解拡大図である。【００１２】  文字の判別ができる程度に、文字の周囲を囲むように形成したパズル片（１）は、印刷が可能な板紙・合成紙・木・プラスチック板などの素材からなる表面層（５）と、ポリエチレン、ウレタン樹脂の発泡シート・コルクなどの低密度の素材からなる中間層（６）とで構成されている。なお中間層（６）はパズル片（１）の大きさにより必ずしも必要ではなく、表面層（５）だけでもよい。【００１３】  パズル盤（２）は、板紙・合成紙・木・プラスチック板などの印刷が可能な素材からなる表面層（５）と、ポリエチレン、ウレタン樹脂発泡シート・コルクなどの低密度の素材からなる中間層（６）と印刷が可能な板紙・合成紙・木・プラスチック板などの素材からなり、パズル片（１）に対応する文字（８）が印刷された裏面層（７）から構成されている。なお中間層（６）はパズル盤（２）の大きさにより必ずしも必要ではなく、表面層（５）と裏面層（７）との２層の構成でもよい。【００１４】  図３はパズル盤（２）の他の例であり、嵌合凹部（３）の外周の一部を欠いて、指を差し込んでパズル片（１）を取り出すことができるようにした、半円形の取り出し孔（４）が開けられている。この半円形の取り出し孔（４）は表面層（５）と中間層（６）のみに開けられており、裏面層（７）には開けられていない。【００１５】  取り出し孔（４）は、パズル片（１）をパズル盤（２）の嵌合凹部（３）に全てはめ込んだ状態にしてから、特定の文字を取り出す時に使う。例えば、母親が子供に「犬…いぬ」を取りなさいと言った時に、子供が「い」と「ぬ」の文字に対応するパズル片（１）を、半円形の取り出し孔（４）に指を入れて取り出すことができる。【００１６】  図４、図５、図６は、文字の判別ができる程度に、文字の周囲を囲むように形成したパズル片（１）を作る方法を、ひらがな文字「あ」「い」「う」を使用して例示したものである。本発明はパズル片（１）の外形から対応する文字を推測するために、パズル片（１）の外形は重要である。【００１７】  図４はひらがな文字「あ」「い」「う」の外縁にある凹部（９）を示してある。文字「あ」の外縁には５箇所の凹部（９）があり、文字「い」の外縁には３箇所の凹部（９）があり、文字「う」の外縁には４箇所の凹部（９）がある。【００１８】  図５はひらがな文字「あ」「い」「う」の外縁にある凹部（９）を、適当な径の円弧（１０）で、円弧（１０）が文字の外縁に接するようにして埋めた図である。【００１９】  図６は文字の外縁と、外縁と接する円弧（１０��の接点間の凹曲線をなぞって形作った、ひらがな文字「あ」「い」「う」の外形線（１１）である。【００２０】  前記のようにしてパズル片（１）の外形線（１１）を作ると、外形線（１１）の凸部（１２）は必ず文字の外縁と一致し、対応する文字を類推し易くなる。【００２１】  また、前記のようにしてパズル片（１）の外形線（１１）を作ると、外形線（１１）の凸部（１２）は必ず文字の外縁と一致し、かつ、凹部（９）が凹曲線となるために、目で見なくても手で触ることにより、対応する文字を類推することができる。【００２２】  図７、図８、図９、図１０、図１１、図１２は、文字の判別ができる程度に、文字の周囲を囲むように形成したパズル片（１）を作る方法を、直線と曲線を使って、一般的に例示したものである。【００２３】  図７は２本の縦線と１本の横線が交わった例を示している。この形では、線が交差した箇所と線が並んだ箇所に、合わせて６箇所の凹部（９）が発生する。【００２４】  図８は図７の６箇所の凹部（９）を、適当な径の円弧（１０）で、円弧（１０）が線の外縁に接するようにして埋めた図である。円弧（１０）は、線の先端部分を残して線の先端部分が認識できるように描くのが良い。【００２５】  図９は図８の２本の縦線と１本の横線の外縁と、外縁と接する円弧（１０）の接点間の凹曲線をなぞって形作った、２本の縦線と１本の横線が交わった図形からできる外形線（１３）である。【００２６】  前記のようにしてパズル片（１）の外形線（１３）を作ると、外形線（１３）の凸部（１２）は必ず各線の先端の外縁と一致し、対応する線の形を類推し易くなる。【００２７】  図１０は１本の凹曲線と１本の横線が交わった例を示している。この形では、線が交差した箇所と凹曲線の上部に、合わせて５箇所の凹部（９）が発生する。【００２８】  図１１は図１０の５箇所の凹部（９）を、適当な径の円弧（１０）で、円弧（１０）が線の外縁に接するようにして埋めた図である。円弧（１０）は、線の先端部分を残して線の先端部分が認識できるように描くのが良い。【００２９】  図１２は図１１の１本の凹曲線と１本の横線の外縁と、外縁と接する円弧（１０）の接点間の凹曲線をなぞって形作った、１本の凹曲線と１本の横線が交わった図形からできる外形線（１４）である。【００３０】  前記のようにしてパズル片（１）の外形線（１４）を作ると、外形線（１４）の凸部（１２）は必ず各線の先端の外縁と、曲線の凸部と一致し、対応する線の形を類推し易くなる。【００３１】  図７、図８、図９、図１０、図１１、図１２は、文字の判別ができる程度に、文字の周囲を囲むように形成したパズル片（１）を作る方法を、直線と曲線を使って、一般的に例示したものである。
この方法よれば、直線と曲線から構成される、ひらがな、カタカナの５０音文字、ローマ字、漢字などの全ての文字の外形線（１１）を作ることができる。
【図面の簡単な説明】
【００３２】
【図１】  本発明の全体を示す斜視図である。
【図２】  ［図１］の鎖線Ａ・Ｂから切り取った部分の、分解斜視図である。
【図３】  ［図１］の鎖線Ａ・Ｂから切り取った部分の、パズル盤の他の実施例の分解斜視図である。
【図４】  ひらがな文字「あ」「い」「う」の外縁にある凹部（９）を示す図である。
【図５】  ［図４］の凹部（９）を、円弧（１０）が、文字の外縁に接するようにして埋めた図である。
【図６】  ひらがな文字「あ」「い」「う」の外形図である。
【図７】  ２本の縦線と１本の横線が交わった形の、外縁にある６箇所の凹部（９）を示す図である。
【図８】  図７の６箇所の凹部（９）を、円弧（１０）が、２本の縦線と１本の横線が交わった形の外縁に接するようにして埋めた図である。
【図９】  ２本の縦線と１本の横線が交わった形の外形図である。
【図１０】  １本の凹曲線と１本の横線が交わった形の、５箇所の凹部（９）を示す図である。
【図１１】  図１０の５箇所の凹部（９）を、円弧（１０）が、１本の凹曲線と１本の横線が交わった形の外縁に接するようにして埋めた図である。
【図１２】  １本の凹曲線と１本の横線が交わった形の外形図である。
【符号の説明】
【００３３】      １    パズル片
２    パズル盤
３    嵌合凹部
４    取り出し孔
５    表面層
６    中間層
７    裏面層
８    文字
９    凹部
１０  円弧
１１  外形線
１２  凸部
１３  外形線
１４  外形線
【図１】
2008284325.tif 000003
【図２】
2008284325.tif 000004
【図３】
2008284325.tif 000005
【図４】
2008284325.tif 000006
【図５】
2008284325.tif 000007
【図６】
2008284325.tif 000008
【図７】
2008284325.tif 000009
【図８】
2008284325.tif 000010
【図９】
2008284325.tif 000011
【図１０】
2008284325.tif 000012
【図１１】
2008284325.tif 000013
【図１２】
2008284325.tif 000014